【手続補正書】
【提出日】平成18年1月10日(2006.1.10)
【手続補正１】
【補正対象書類名】特許請求の範囲
【補正対象項目名】全文
【補正方法】変更
【補正の内容】
【特許請求の範囲】
【請求項１】
ニア・オン・デマンド環境に於いてマルチメディア・プレゼンテーションをオン・デマンドで提供する方法であって、
ａ）各加入者により前もって記録される各初期セグメントを提供するステップであって、前記各初期セグメントが、複数のマルチメディア・プレゼンテーションのそれぞれに対応しており、且つ、少なくとも所定時間間隔の長さに等しい持続時間を有する、前記提供するステップと、
ｂ）前記複数のマルチメディア・プレゼンテーションの各々を複数の互いに異なるチャンネル上で同時に送信するステップであって、同一のマルチメディア・プレゼンテーションが前記複数の互いに異なるチャンネル上で送信され、且つ、各送信の開始時点が前記所定時間間隔を超えない周期を有する、前記送信するステップと、
を含む、前記方法。
【請求項２】
前記各加入者に前記複数のマルチメディア・プレゼンテーションのメニューを提供するステップを含む、請求項１記載の方法。
【請求項３】
前記複数のマルチメディア・プレゼンテーションのうち選択された１つのマルチメディア・プレゼンテーションのパフォーマンスを求める加入者要求に応じて、前記選択された１つのマルチメディア・プレゼンテーションに対応する、前記各初期セグメントのうちの１つの初期セグメントの再生を開始する許可を当該加入者に提供するステップを含む、請求項１記載の方法。
【請求項４】
前記許可が、放送が既に始まっている前記選択された１つのマルチメディア・プレゼンテーションの記録を開始する許可と、前記対応する１つの初期セグメントの再生を開始する許可のうち少なくとも一方の許可を含む、請求項３記載の方法。
【請求項５】
前記許可が、前記選択された１つのマルチメディア・プレゼンテーションをデスクランブルし、且つ、前記対応する１つの初期セグメントをデスクランブルするためのデスクランブル・コード・キーを含む、請求項３記載の方法。
【請求項６】
前記許可が、前記選択された１つのマルチメディア・プレゼンテーションが送信されるチャンネルにアクセスするためのアクセス・コードを含む、請求項３記載の方法。
【請求項７】
前記選択された１つのマルチメディア・プレゼンテーションの前記記録の再生を、そのプレゼンテーションが完了すると、禁止するステップを含む、請求項４記載の方法。
【請求項８】
前記選択された１つのマルチメディア・プレゼンテーションを求める前記加入者要求に応答して、課金コードを生成するステップを含む、請求項３記載の方法。
【請求項９】
前記各加入者によるマルチメディア・システムの初期起動に応答して、前記各加入者に供給される前記各初期セグメントを自動的に記録するステップを含む、請求項１記載の方法。
【請求項１０】
前記各初期セグメントを定期的に取り替えて、新たな初期セグメントが新たなマルチメディア・プレゼンテーションに対応するようにするステップを含む、請求項１記載の方法。
【請求項１１】
ニア・オン・デマンド環境に於いてマルチメディア・プレゼンテーションをオン・デマンドで提供するシステムであって、
マルチメディア放送ユニットを有し、このマルチメディア放送ユニットが、
ａ）複数の初期セグメントを提供する手段であって、前記各初期セグメントが、複数のマルチメディア・プレゼンテーションのそれぞれに対応しており、且つ、少なくとも所定時間間隔の長さに等しい持続時間を有する、前記提供する手段と、
ｂ）前記複数のマルチメディア・プレゼンテーションを複数のチャンネル上で放送する手段であって、互いに異なる各チャンネル上の同一の番組放送の開始時点相互の時間間隔が前記所定時間間隔を超えない、前記放送する手段と、
を含む、前記システム。
【請求項１２】
前記マルチメディア放送ユニットが、加入者に前記複数のマルチメディア・プレゼンテーションのメニューを送信して、前記複数のマルチメディア・プレゼンテーションのうちの１つのマルチメディア・プレゼンテーションについての加入者選択を許可する、請求項１１記載のシステム。
【請求項１３】
前記複数のマルチメディア・プレゼンテーションのうち選択された１つのマルチメディア・プレゼンテーションのパフォーマンスを求める加入者要求に応じて、前記選択された１つのマルチメディア・プレゼンテーションの再生を開始する許可を当該加入者に提供する許可制御システムを含む、請求項１１記載のシステム。
【請求項１４】
前記許可が、放送が既に始まっている前記選択された１つのマルチメディア・プレゼンテーションの記録を開始する許可と、前記複数の初期セグメントのうちの対応する１つの初期セグメントの再生を開始する許可のうち少なくとも一方の許可を含む、請求項１３記載のシステム。
【請求項１５】
前記許可が、放送が進行中である前記選択された１つのマルチメディア・プレゼンテーションに対応する初期セグメントをデスクランブルするためのデスクランブル・コード・キーを含む、請求項１３記載のシステム。
【請求項１６】
前記許可が、前記選択された１つのマルチメディア・プレゼンテーションが放送されるチャンネルにアクセスするためのアクセス・コードを含む、請求項１３記載のシステム。
【請求項１７】
前記複数のマルチメディア・プレゼンテーションのうち選択された１つのマルチメディア・プレゼンテーションの記録の加入者再生を、そのプレゼンテーションが完了すると、禁止するパフォーマンス制御システムを含む、請求項１１記載のシステム。
【請求項１８】
前記複数のマルチメディア・プレゼンテーションのうち選択された１つのマルチメディア・プレゼンテーションを求める加入者要求に応答して、課金コードを生成する課金制御システムを含む、請求項１１記載のシステム。
【手続補正２】
【補正対象書類名】明細書
【補正対象項目名】発明の名称
【補正方法】変更
【補正の内容】
【発明の名称】マルチメディア・プレゼンテーションをオン・デマンドで提供する方法およびシステム
【手続補正３】
【補正対象書類名】明細書
【補正対象項目名】００１１
【補正方法】変更
【補正の内容】
【００１１】
マルチメディア・プレゼンテーションの視聴には、テレビジョン・ディスプレイ・システム、コンピュータ・ディスプレイ・システム、パーソナル・デジタル・アシスタント（ＰＤＡ）、ホーム・シアター・ディスプレイ・システム、オーディオ・システム、或いは、これらを任意に組み合わせたものが使用できる。加入者マルチメディア・システムには、更に、プレゼンテーション用に提供される各マルチメディア・プレゼンテーションの初期セグメントを前もって記録するマルチメディア・レコーダと、このマルチメディア・レコーダと通信をするマルチメディア・システム・コントローラと、各マルチメディア・プレゼンテーション放送を受信する受信機と、ユーザ要求を受け付けて上記マルチメディア・システム・コントローラに伝えるユーザ・インタフェースとが含まれている。このユーザ・インタフェースは、各マルチメディア・プレゼンテーションのメニューを表示し、ユーザ入力を受け付けることができる。更に、このユーザ・インタフェースに、トリック・モード制御機能を組み込むこともできる。
特許請求の範囲と実施例との対応関係を実施例で使われている参照符号を用いて示すと以下の通りである。
（請求項１）
ニア・オン・デマンド環境に於いてマルチメディア・プレゼンテーションをオン・デマンドで提供する方法であって、
ａ）各加入者により前もって記録される各初期セグメントを提供するステップ（４０２）であって、前記各初期セグメントが、複数のマルチメディア・プレゼンテーションのそれぞれに対応しており、且つ、少なくとも所定時間間隔（Ｔ０−Ｔ１）の長さに等しい持続時間（Ｌ）を有する、前記提供するステップと、
ｂ）前記複数のマルチメディア・プレゼンテーションの各々を複数の互いに異なるチャンネル上で同時に送信するステップであって、同一のマルチメディア・プレゼンテーションが前記複数の互いに異なるチャンネル上で送信され（Ｂｃ１、Ｂｃ２、Ｂｃ３）、且つ、各送信の開始時点が前記所定時間間隔（Ｔ０−Ｔ１）を超えない周期を有する、前記送信するステップと、
を含む、前記方法。
（請求項２）
前記各加入者に前記複数のマルチメディア・プレゼンテーションのメニューを提供するステップを含む、請求項１記載の方法。
（請求項３）
前記複数のマルチメディア・プレゼンテーションのうち選択された１つのマルチメディア・プレゼンテーションのパフォーマンスを求める加入者要求に応じて（４０６）、前記選択された１つのマルチメディア・プレゼンテーションに対応する、前記各初期セグメントのうちの１つの初期セグメントの再生を開始する許可を当該加入者に提供するステップ（４０８）を含む、請求項１記載の方法。
（請求項４）
前記許可が、放送が既に始まっている前記選択された１つのマルチメディア・プレゼンテーションの記録（Ｗｒｓ）を開始する許可（４０８）と、前記対応する１つの初期セグメント（３１０）の再生（Ｐｂ１）を開始する許可のうち少なくとも一方の許可を含む、請求項３記載の方法。
（請求項５）
前記許可（４０８）が、前記選択された１つのマルチメディア・プレゼンテーションをデスクランブルし、且つ、前記対応する１つの初期セグメント（３１０）をデスクランブルするためのデスクランブル・コード・キーを含む、請求項３記載の方法。
（請求項６）
前記許可（４０８）が、前記選択された１つのマルチメディア・プレゼンテーションが送信されるチャンネルにアクセスするためのアクセス・コードを含む、請求項３記載の方法。
（請求項７）
前記選択された１つのマルチメディア・プレゼンテーションの前記記録の再生を、そのプレゼンテーションが完了すると、禁止するステップ（４０９）を含む、請求項４記載の方法。
（請求項８）
前記選択された１つのマルチメディア・プレゼンテーションを求める前記加入者要求に応答して、課金コードを生成するステップ（４１０）を含む、請求項３記載の方法。
（請求項９）
前記各加入者によるマルチメディア・システムの初期起動に応答して、前記各加入者に供給される前記各初期セグメント（３１０）を自動的に記録するステップ（４０２）を含む、請求項１記載の方法。
（請求項１０）
前記各初期セグメント（３１０）を定期的に取り替えて、新たな初期セグメントが新たなマルチメディア・プレゼンテーションに対応するようにするステップを含む、請求項１記載の方法。
（請求項１１）
ニア・オン・デマンド環境に於いてマルチメディア・プレゼンテーションをオン・デマンドで提供するシステムであって、
マルチメディア放送ユニット（１００）を有し、このマルチメディア放送ユニットが、
ａ）複数の初期セグメントを提供する手段であって、前記各初期セグメントが、複数のマルチメディア・プレゼンテーションのそれぞれに対応しており、且つ、少なくとも所定時間間隔（Ｔ０−Ｔ１）の長さに等しい持続時間（Ｌ）を有する、前記提供する手段と、
ｂ）前記複数のマルチメディア・プレゼンテーションを複数のチャンネル上で放送する手段（１０６）であって、互いに異なる各チャンネル上の同一の番組放送の開始時点相互の時間間隔が前記所定時間間隔（Ｔ０−Ｔ１）を超えない、前記放送する手段と、
を含む、前記システム。
（請求項１２）
前記マルチメディア放送ユニット（１００）が、加入者に前記複数のマルチメディア・プレゼンテーションのメニューを送信して、前記複数のマルチメディア・プレゼンテーションのうちの１つのマルチメディア・プレゼンテーションについての加入者選択を許可する、請求項１１記載のシステム。
（請求項１３）
前記複数のマルチメディア・プレゼンテーションのうち選択された１つのマルチメディア・プレゼンテーションのパフォーマンスを求める加入者要求に応じて（４０６）、前記選択された１つのマルチメディア・プレゼンテーションの再生（Ｐｂ１）を開始する許可を当該加入者に提供する許可制御システム（１１０）を含む、請求項１１記載のシステム。
（請求項１４）
前記許可が、放送が既に始まっている前記選択された１つのマルチメディア・プレゼンテーションの記録（Ｗｒｓ）を開始する許可と、前記複数の初期セグメント（３１０）のうちの対応する１つの初期セグメントの再生（Ｐｂ１）を開始する許可のうち少なくとも一方の許可を含む、請求項１３記載のシステム。
（請求項１５）
前記許可が、放送が進行中である前記選択された１つのマルチメディア・プレゼンテーションに対応する初期セグメント（３１０）をデスクランブルするためのデスクランブル・コード・キーを含む、請求項１３記載のシステム。
（請求項１６）
前記許可が、前記選択された１つのマルチメディア・プレゼンテーションが放送されるチャンネルにアクセスするためのアクセス・コードを含む、請求項１３記載のシステム。
（請求項１７）
前記複数のマルチメディア・プレゼンテーションのうち選択された１つのマルチメディア・プレゼンテーションの記録の加入者再生を、そのプレゼンテーションが完了すると（５１０）、禁止するパフォーマンス制御システム（１１２、４０９）を含む、請求項１１記載のシステム。
（請求項１８）
前記複数のマルチメディア・プレゼンテーションのうち選択された１つのマルチメディア・プレゼンテーションを求める加入者要求に応答して、課金コードを生成する課金制御システム（１１４）を含む、請求項１１記載のシステム。